(57)【特許請求の範囲】
【請求項１】
ゴム手袋を形成する際において、
ゴム手袋形成の元となる人の手の形をした立体形状の型（３）の一部に、つまみ部分の元の形となる突起部分（４）を設け、
その人の手の形をした立体形状の型（３）を、ゴム手袋の素材となる柔らかく溶か
した状態の天然ゴム等の中に指先側から浸漬したのち、袖口側から引き上げ、
こうして形成されたゴム手袋（１）を乾燥させて、裏返しながら脱型させるか、脱
型後に裏返しにすることによって、ゴム手袋の形成の際につまみ部分（２）を設け、
このつまみ部分を押し出して、つまみ部分（２）とした着脱用つまみ部分付きゴム
手袋製造方法。
【請求項２】
表裏を裏返して形成されたゴム手袋であって、
当該ゴム手袋の一部に、突起型のつまみ部分が形成されており、
当該つまみ部分は、前記表裏を裏返した際に内部側に位置していたものが押し出されることによって形成されている
ゴム手袋。
【発明の詳細な説明】
【技術分野】
【０００１】  この発明は、着脱用つまみ部分付きゴム手袋に関するものである。
【背景技術】
【０００２】  従来、ゴム等の伸縮性のある素材で出来た密着性の高いゴム手袋を手に着脱する場合、手袋の手首側の端を引っ張るなどして着脱を行っていた。
【先行技術文献】
【特許文献】
【０００３】
【特許文献１】
【発明の概要】
【発明が解決しようとする課題】
【０００４】  これは次のような欠点があった。
（イ）密着性の高いゴム手袋の場合、ゴム手袋自体が手に着脱しにくい。
（ロ）ゴム手袋を手から外す際に手袋表面の汚れが腕や手に付着しまう可能性が高い。
本発明は、以上のような欠点をなくすためになされたものである。
【課題を解決するための手段】
【０００５】  ゴム手袋を形成する際において、ゴム手袋形成の元となる人の手の形をした立体形状の型（３）の一部に、つまみ部分の元の形となる突起部分（４）を設ける。
その人の手の形をした立体形状の型（３）を、ゴム手袋の素材となる柔らかく溶かした状態の天然ゴム等の中に指先側から浸漬したのち、袖口側から引き上げる。
こうして形成されたゴム手袋（１）を乾燥させて、裏返しながら脱型させるか、脱型後に裏返しにすることによって、ゴム手袋の形成の際につまみ部分（２）を設ける。
このつまみ部分（２）を押し出して、着脱用つまみ部分付きゴム手袋とする。
ないしはゴム手袋形成の際に、その元となる人の手の形をした立体形状の型（５）の一部に、つまみ部分の元の形となる窪み部分（６）を設け、同様の手順によりゴム手袋を形成後、型から脱型させる。こうして形成されたゴム手袋（１）の窪み部分を押し出して、つまみ部分（２）としてもよい。
あるいは、人の手の形をした立体形状の型（３）や、人の手の形をした立体形状の型（５）に、スプレー法によってゴム手袋の素材を直接吹き付けて、ゴム手袋を製作。乾燥後に脱型させて、同様の手順により、つまみ部分（２）を設けたゴム手袋を形成する。
本発明は、以上の構成よりなる着脱用つまみ部分付きゴム手袋である。
【発明の効果】
【０００６】  ゴム手袋の表面の一部につまみ部分を設けることにより、つまみ部分を引っ張りながらゴム手袋の着脱を行った場合、着脱そのものが容易となり、また手袋表面の汚れが腕や手に付着する心配もなくなる。
【図面の簡単な説明】
【０００７】
【図１】本発明の斜視図である。
【図２】本発明の正面図である。
【図３】本発明の左側面図である。
【図４】本発明を製作するための人の手の形をした立体形状の型（３）を正面右側から見た時の斜視図である。
【図５】本発明を製作するための人の手の形をした立体形状の型（３）の右側面図である。
【図６】本発明を製作するための人の手の形をした立体形状の型（３）の、図４に示す点１Ａ、２Ａ、３Ａを通った時の右側面側から見た断面図である。
【図７】本発明を製作するための人の手の形をした立体形状の型（３）の、図４に示す点１Ｂ、２Ｂを水平方向に通り、正面を上にした時の断面図である。
【図８】本発明を製作するための人の手の形をした立体形状の型（５）を正面右側から見た時の斜視図である。
【図９】本発明を製作するための人の手の形をした立体形状の型（５）の右側面図である。
【図１０】本発明を製作するための人の手の形をした立体形状の型（５）の、図８に示す点１Ｃ、２Ｃ、３Ｃを通った時の右側面側から見た断面図である。
【図１１】本発明を製作するための人の手の形をした立体形状の型（５）の図８に示す点１Ｄ、２Ｄを水平方向に通り、正面を上にした時の断面図である。
【発明を実施するための形態】
【０００８】  以下、本発明を実施するための形態について説明する。
ゴム手袋を形成する際において、ゴム手袋形成の元となる人の手の形をした立体形状の型（３）の一部に、つまみ部分の元の形となる突起部分（４）を設ける。
その人の手の形をした立体形状の型（３）を、ゴム手袋の素材となる柔らかく溶かした状態の天然ゴム等の素材の中に指先側から浸漬したのち、袖口側から引き上げる。
こうして形成されたゴム手袋（１）を乾燥させて、裏返しながら脱型させるか、脱型後に裏返しにすることによって、ゴム手袋の形成の際につまみ部分（２）を設ける。
このつまみ部分（２）を押し出して、着脱用つまみ部分付きゴム手袋とする。
ないしはゴム手袋形成の際に、その元となる人の手の形をした立体形状の型（５）の一部に、つまみ部分の元の形となる窪み部分（６）を設け、同様の手順によりゴム手袋を形成後、型から脱型させる。こうして形成されたゴム手袋（１）の窪み部分を押し出して、つまみ部分（２）としてもよい。
あるいは、人の手の形をした立体形状の型（３）や、人の手の形をした立体形状の型（５）に、スプレー法によってゴム手袋の素材を直接吹き付けて、ゴム手袋を製作。乾燥後に脱型させて、同様の手順により、つまみ部分（２）を設けたゴム手袋を形成する。
これにより伸縮性のある素材で出来た密着性の高いゴム手袋でも、つまみ部分（２）をつまむことにより着脱がより容易となり、手袋表面の汚れが腕や手に付着する心配もなくなる。
また、図１から図１１は左手用を表しているが、右手用も同様の構成である。
尚、ゴム製の手袋だけでなく合成樹脂製などから出来ている手袋も一般的にはこのように呼ばれていることから、本発明ではゴム製、合成樹脂製等の素材を問わずゴム手袋と総称することとする。
本発明は、以上のような構造である。
【実施例】
【０００９】  本発明の実施例について説明する。図１に基づいて説明すると、手にゴム手袋を装着しようとする場合、ゴム手袋の袖口側の縁のあたりを、もう片方の手で引き上げながらゴム手袋の中に手を入れてゆく。ゴム手袋を装着しようとする手が、手首のあたりまで入った時点で、今回設けられたつまみ部分（２）を反対側の手で引っ張りながら装着してゆくことにより、より簡単にゴム手袋を装着することが可能となった。【００１０】  着脱用つまみ部分付きゴム手袋（１）を装着した状態で作業を行った後にゴム手袋（１）を手から外す場合、多くの場合においてゴム手袋（１）の表面に汚れの付着や、医療現場においては血液等の感染物質が付着しているケースが想定される。この様な場合に、つまみ部分（２）を指先側に向かって引っ張りながらゴム手袋（１）を手から外すことにより、ゴム手袋を手首付近まで確実に外すことが可能となった。さらにつまみ部分（２）を指先側に向けて引っ張ることにより、ゴム手袋（１）が手首付近で裏返しの状態となり、そのままつまみ部分（２）を引っ張ることにより、腕や手に手袋表面の汚れが一切付着することなく、ゴム手袋を手から外すことが可能となった。
【符号の説明】
【００１１】  （１）  形成されたゴム手袋
（２）  つまみ部分
（３）  人の手の形をした立体形状の型
（４）  つまみ部分の元の形となる突起部分
（５）  人の手の形をした立体形状の型
（６）  つまみ部分の元の形となる窪み部分
【図１】
0006353870.tif 000002
【図２】
0006353870.tif 000003
【図３】
0006353870.tif 000004
【図４】
0006353870.tif 000005
【図５】
0006353870.tif 000006
【図６】
0006353870.tif 000007
【図７】
0006353870.tif 000008
【図８】
0006353870.tif 000009
【図９】
0006353870.tif 000010
【図１０】
0006353870.tif 000011
【図１１】
0006353870.tif 000012